(57)【要約】【課題】  コアにシート状物を巻き取る際、両面接着テープを用いてシート状物の先端部を紙管によるコアに貼着する場合には、紙管を再使用するために両面接着テープを剥離させると、紙管の表面を損傷して、再使用に適しないものとなってしまうことに鑑みて、両面接着テープによらずにコアにシート状物の先端部を保持させられるようにする。【解決手段】  第１ワインダードラム15に案内された紙シートＰの先端部に反転用空気ノズル17から反転用空気を噴射させて該先端部を離隔させて紙管１に被せた状態で、ライダーロール22を下降させて紙シートＰを紙管１に押圧する。押込用空気ノズル20から押込用空気を噴射させて紙シートＰを紙管１と第２ワインダーロール16との間に押し込み、紙管１の回転によって紙シートＰが巻き取られるようにする。【選択図】        図１
2008222360.tif 000002
【特許請求の範囲】
【請求項１】
所定の幅員に加工されたシート状物の先端部をコアに保持させて、該コアに巻き取るシート状物の巻き取り用下巻き保持方法において、
シート状物を前記コアまで案内する案内手段に、該シート状物の先端部を巻回させ、
前記案内手段とコアとにより前記シート状物の先端部を挟持させ、
シート状物の先端部に加圧空気を噴射して、該先端部を前記案内手段から離隔させてコアに巻き付かせる方向に移行させ、
シート状物の先端部がコアに移行した後、押圧手段をコアに押圧して該シート状物の先端部を押圧手段とコアとで挟持させ、
前記コアを回転させてシート状物をコアに巻回させて巻き取ることを特徴とするシート状物の巻き取り用下巻き保持方法。
【請求項２】
前記コアに移行したシート状物の先端部に加圧空気を噴射して、該先端部をコアに巻き込ませることを特徴とする請求項１に記載のシート状物の巻き取り用下巻き保持方法。
【請求項３】
前記案内手段に前記シート状物の先端部を巻回させる際に、該先端部に加圧空気を吹き付けて案内手段に移行させることを特徴とした請求項１または請求項２に記載のシート状物の巻き取り用下巻き保持方法。
【請求項４】
前記案内手段とコアとにより前記シート状物の先端物を挟持させるに先だって、案内手段に巻回したシート状物の先端部に加圧空気を吹き付けて、該先端部を案内手段に密着させることを特徴とする請求項１から請求項３までのいずれかに記載のシート状物の巻き取り用下巻き保持方法。
【請求項５】
所定の幅員に加工されたシート状物の先端部をコアに保持させて、該コアに巻き取るシート状物の巻き取り用下巻き保持装置において、
巻取から巻き解かれるシート状物を巻回して案内すると共に、コアをそれぞれに接触させて載置する一対のワインダードラムと、
前記一対のワインダードラムの一方に巻回したシート状物の先端部に、該先端部をワインダードラムから離隔させて前記コアに巻回させるシート反転用空気を噴射させる反転用空気噴射手段と、
コアに巻回したシート状物を該コアと協働して挟持すると共に、コアを前記一対のワインダードラムに押圧する押圧手段とからなり、
前記反転用空気により一方のワインダードラムから離隔した前記先端部を、前記一対のワインダードラムの回転により、他方のワインダードラムとコアとの間に引き込ませることを特徴とするシート状物の巻き取り用下巻き保持装置。
【請求項６】
前記一方のワインダードラムから離隔した前記先端部を、他方のワインダードラムとコアとの間に押し込むシート押込用空気を噴射させる押込用空気噴射手段を設けたことを特徴とする請求項５に記載のシート状物の巻き取り用下巻き保持装置。
【請求項７】
前記一対のワインダードラムの下方に加圧空気を噴射する端部位置調整ノズルを設け、
前記加圧空気の噴射方向が前記シート状物の先端部を前記一方のワインダードラムに移行させるよう作用する方向を指向させて配置してあることを特徴とする請求項５又は請求項６に記載のシート状物の巻き取り用下巻き保持装置。
【請求項８】
前記コアを保持して前記一対のワインダードラムに載置させる位置まで搬送するコア保持手段に、加圧空気を噴射するシート押付ノズルを設け、
前記シート押付ノズルから噴射される加圧空気で、前記シート状物の先端部を前記一方のワインダードラムに押圧することを特徴とする請求項５から請求項７までのいずれかに記載のシート状物の巻き取り用下巻き保持装置。
【発明の詳細な説明】
【技術分野】
【０００１】
この発明は、例えば、紙等のシート状物をコアに巻き取る場合に、巻き初めにおいてコアにシート状物の先端部を保持させて、円滑にコアに巻き取らせるためのシート状物の巻き取り用下巻き保持方法及び保持装置に関する。
【背景技術】
【０００２】
例えば、製紙工程で用いられる抄紙機では、供給された製紙原料を、ワイヤーパートで脱水しながら紙層を形成し、プレスパートで形成された紙層から搾水し、搾水されて形成された湿紙をドライヤパートで乾燥させ、その後、カレンダパートで紙厚を調整すると共に平滑性を付与した後、リールパートでリールに巻き取って巻取が製造される。製造された巻取は幅員が大きく、特に近年では生産性の向上を図るためにますます大きくなる傾向がある。一方、新聞社や印刷会社、包装資材会社等の需要者では、広幅で大きな径の巻取を扱う機械装置を所有しておらず、製紙工場としても出荷の際には広幅な巻取は扱いにくい。このため、製紙工場では、抄紙機のマシンリールで巻き取られた巻取を需要者が所有する印刷機等の機械能力に応じて、適当な幅員及び径の巻取に加工したり、所定の寸法の平判紙に裁断して出荷している。
【０００３】
マシンリールに巻き取られた巻取をワインダー装置に供して小幅の巻取に成形し直す場合に、スリッターナイフで小幅に切断された紙シートはコアである紙管に巻き取られて小幅の巻取となる。ワインダー装置には、切断された紙シートを巻き取るために適宜数の紙管がその軸方向に並べられてセットされており、紙シートは、それぞれ各別に紙管に巻き取られる。このとき、小幅に切断された紙シートの先端部は紙管に確実に保持されなければ、紙シートの先端部が紙管から浮いてしまって、巻取が密に巻かれた状態とならず、また隣接して巻き取られている紙シートに干渉してしまうおそれがある。このため、紙シートの先端部を確実に紙管に保持させる必要があり、巻き取り用下巻き保持のために紙管表面に紙シートの先端部を貼着させる両面接着テープを貼付している。この種のテープ貼付装置として、例えば、特許文献１に開示されたワインダー装置におけるテープ貼り装置や、特許文献２に開示された接着テープ貼付装置等がある。
【０００４】
これらのテープ貼付装置により両面接着テープが貼付された紙管に紙シートが巻き取られる状態を図11及び図12に示してある。紙管１は軸を平行にして配設された一対の同方向に回転するワインダードラム2a、2bのそれぞれに接触させて配置される。この紙管１には、図11において実線及び想像線で示すように、両面接着テープ３が貼付されている。また、紙管１にはライダーロール４が載荷されて、ワインダードラム2a、2bに押圧された状態とされる。一方の第１ワインダードラム2aに給送された紙シートＰは、この第１ワインダードラム2aに巻回されながら該第１ワインダードラム2aと紙管１とに挟持されることになる。紙管１はこれらワインダードラム2a、2bと接触しているために、これらワインダードラム2a、2bから回転力が伝達されて、これらワインダードラム2a、2bと逆方向に回転することになる。このため、紙管２の回転によって、紙管２に貼付された両面接着テープ３が、図11上想像線で示すように、紙シートＰに接触すると、以後は紙シートＰが第１ワインダードラム2aから紙管２に移行して、図12に示すように、該紙管２に巻き取られることになる。なお、紙シートＰはライダーロール４の荷重を受けて密な状態に紙管２に巻き取られることになる。
【０００５】
【特許文献１】実開平５−８９３５９号
【特許文献２】特開２００３−２９２２３４号
【発明の開示】
【発明が解決しようとする課題】
【０００６】
小幅に切断されて巻き直された巻取は、新聞社や印刷会社等へは巻取の状態で出荷されることになるが、さらに小幅の巻取に巻き直したり、カッター装置に供して平判紙にする場合もある。このような場合には、紙シートＰが紙管から巻き解かれるから、紙管が残存し、この紙管は再使用されることになる。このとき、紙シートＰを紙管に保持させた両面接着テープ３を剥離する必要がある。この剥離作業が煩雑なものとなっており、しかも、紙管の表面も剥離してしまって、紙管を損傷させてしまうこともある。また、ワインダーに供する際に紙管に貼付された両面接着テープがワインダードラムやライダーロールに転移してしまう場合があり、転移した両面接着テープを除去する作業も煩雑であり、無用な時間を要してしまうことになる。
【０００７】
そこで、この発明は、紙管等のコアに巻き取られる紙シート等のシート状物の先端部を貼着させるために接着テープを用いることなく、シート状物の先端部を確実に紙管に保持させることができるようにするシート状物の巻き取り用下巻き保持方法及び保持装置を提供することを目的としている。
【課題を解決するための手段】
【０００８】
前記目的を達成するための技術的手段として、この発明に係るシート状物の巻き取り用下巻き保持方法は、所定の幅員に加工されたシート状物の先端部をコアに保持させて、該コアに巻き取るシート状物の巻き取り用下巻き保持方法において、シート状物を前記コアまで案内する案内手段に、該シート状物の先端部を巻回させ、前記案内手段とコアとにより前記シート状物の先端部を挟持させ、シート状物の先端部に加圧空気を噴射して、該先端部を前記案内手段から離隔させてコアに巻き付かせる方向に移行させ、シート状物の先端部がコアに移行した後、押圧手段をコアに押圧して該シート状物の先端部を押圧手段とコアとで挟持させ、前記コアを回転させてシート状物をコアに巻回させて巻き取ることを特徴としている。
【０００９】
ワインダー装置に供されて、巻取から巻き解かれたシート状物はコアに巻き直されるべく、先端部が前記案内手段に案内されてコアに巻回されることができる位置まで給送される。この位置にて前記加圧空気が噴射されると先端部が案内手段から離隔してコアに巻き付くことになり、コアに巻き付いた状態で該コアが回転すると先端部を巻き込んで、シート状物はコアに巻き取られることになる。
【００１０】
また、請求項２の発明に係るシート状物の巻き取り用下巻き保持方法は、前記コアに移行したシート状物の先端部に加圧空気を噴射して、該先端部をコアに巻き込ませることを特徴としている。
【００１１】
前述したように、加圧空気を噴射することによりシート状物の先端部がコアに巻き付く位置まで移行するが、その後はコアの回転に委ねられることになる。このとき、例えば先端部がコアの表面を滑ったりした場合にはコアに巻き付くまで時間を要してしまうおそれがある。そこで、前記先端部を強制的にコアに巻き付かせるようにしたものである。すなわち、案内手段から離隔した先端部に加圧空気を噴射して、該先端部をコアに巻き込ませるようにしたものである。
【００１２】
また、請求項３の発明に係るシート状物の巻き取り用下巻き保持方法は、前記案内手段に前記シート状物の先端部を巻回させる際に、該先端部に加圧空気を吹き付けて案内手段に移行させることを特徴としている。
【００１３】
前工程で完成した巻取をワインダー装置から排出する際に、シート状物を切断すると、シート状物の先端部が完成した巻取に伴われて移動してしまって、前記案内手段から離隔してしまう場合がある。このような場合に、この先端部に加圧空気を吹き付けて、該先端部を案内手段に連繋させるようにしたものである。
【００１４】
また、請求項４の発明に係るシート状物の巻き取り用下巻き保持方法は、前記案内手段とコアとにより前記シート状物の先端物を挟持させるに先だって、案内手段に巻回したシート状物の先端部に加圧空気を吹き付けて、該先端部を案内手段に密着させることを特徴としている。
【００１５】
シート状物の先端部を移行させるために加圧空気を用いているため、該先端部がバタついて案内手段に連繋させた状態で弛んでしまう場合がある。この弛みが生じないようにしたもので、案内手段に巻回した状態でシート状物の先端部に加圧空気を吹き付けて、該先端部を案内手段に押圧することにより、これら先端部と案内手段との連繋状態が維持される。この状態で、コアと案内手段とによりシート状物の先端部を挟持すれば、以後は先端部は弛みのない状態に維持される。
【００１６】
また、請求項５の発明に係るシート状物の巻き取り用下巻き保持装置は、所定の幅員に加工されたシート状物の先端部をコアに保持させて、該コアに巻き取るシート状物の巻き取り用下巻き保持装置において、巻取から巻き解かれるシート状物を巻回して案内すると共に、コアをそれぞれに接触させて載置する一対のワインダードラムと、前記一対のワインダードラムの一方に巻回したシート状物の先端部に、該先端部をワインダードラムから離隔させて前記コアに巻回させるシート反転用空気を噴射させる反転用空気噴射手段と、コアに巻回したシート状物を該コアと協働して挟持すると共に、コアを前記一対のワインダードラムに押圧する押圧手段とからなり、前記反転用空気により一方のワインダードラムから離隔した前記先端部を、前記一対のワインダードラムの回転により、他方のワインダードラムとコアとの間に引き込ませることを特徴としている。
【００１７】
前記ワインダードラムに案内させて給送させたシート状物の先端部に、前記反転用空気噴射手段によりシート反転用空気が吹き付けられると、該先端部はワインダードラムから離隔してコアに巻き付かせることができる状態となる。この状態でコアが回転すると、前記先端部が巻き込まれて、コアに巻き取られることになる。
【００１８】
また、請求項６の発明に係るシート状物の巻き取り用下巻き保持装置は、前記一方のワインダードラムから離隔した前記先端部を、他方のワインダードラムとコアとの間に押し込むシート押込用空気を噴射させる押込用空気噴射手段を設けたことを特徴としている。
【００１９】
前記反転用空気噴射手段から噴射されたシート反転用空気により一方のワインダードラムから離隔した前記先端部が、例えばコアとの間で滑りが生じたりすると、コアに巻き取られるまでに時間を要してしまうおそれがある。そこで、前記先端部をコアと他方のワインダードラムとの間に強制的に送り込むことにより、コアの回転によって巻き込まれるようにしたものである。すなわち、一方のワインダードラムから離隔させられた前記先端部に前記シート押込用空気を噴射して、該先端部をコアと他方のワインダードラムとの間に送り込むようにしたものである。
【００２０】
また、請求項７の発明に係るシート状物の巻き取り用下巻き保持装置は、前記一対のワインダードラムの下方に加圧空気を噴射する端部位置調整ノズルを設け、前記加圧空気の噴射方向が前記シート状物の先端部を前記一方のワインダードラムに移行させるよう作用する方向を指向させて配置してあることを特徴としている。
【００２１】
完成された巻取をワインダー装置から排出する際のシート状物の切断により、先端部が排出される巻取に伴われて当初に先端部が巻回しなければならない前記一方のワインダードラムから離隔してしまう場合がある。このため、離隔した先端部に前記端部位置調整ノズルから加圧空気を吹き付けて、該先端部を前記一対のワインダードラムに巻回する状態に移行させるものである。
【００２２】
また、請求項８の発明に係るシート状物の巻き取り用下巻き保持装置は、前記コアを保持して前記一対のワインダードラムに載置させる位置まで搬送するコア保持手段に、加圧空気を噴射するシート押付ノズルを設け、前記シート押付ノズルから噴射される加圧空気で、前記シート状物の先端部を前記一方のワインダードラムに押圧することを特徴としている。
【００２３】
前記一対のワインダードラムに先端部を押圧させるために加圧空気を用いる場合には、先端部に弛みが生じて部分的にワインダードラムから浮いた部分が形成されてしまうおそれがある。この弛みが生じた状態でコアに巻回されると巻取の形状が不安定となってしまう。このため、先端部がワインダードラムに接触した場合に、該先端部がワインダードラムに確実に密着した状態を維持して、コアとワインダードラムとでシート状物の先端部を挟持できるようにしたものである。すなわち、前記シート押付ノズルから加圧空気を噴射させて、前記先端部をワインダードラムに押圧した状態でコアをワインダードラムに載置するようにしたもので、前記シート押付ノズルを、前記コア保持手段に設けることにより実現するものである。
【発明の効果】
【００２４】
この発明に係るシート状物の巻き取り用下巻き保持方法、または請求項５の発明に係るシート状物の巻き取り用下巻き保持装置によれば、コアに両面接着テープを貼着させることがないから、コアを再使用する場合にテープを剥離させる手間がかからず、テープを剥離させることによるコアの損傷は生じない。さらに、両面接着テープがワインダードラムやライダーロール等、コア以外の部位に不用意に接着してしまうことがなく、除去作業を要しないから、シート状物の巻取作業の時間を不用意に長くすることがない。
【００２５】
また、請求項２の発明に係るシート状物の巻き取り用下巻き保持方法、または請求項６の発明に係るシート状物の巻き取り用下巻き保持装置によれば、コアに巻き込まれる状態にあるシート状物の先端部を強制的にコアに巻き込ませることができるから、確実にコアに巻き取らせることができ、ワインダー装置等を円滑に運転することができる。
【００２６】
また、請求項３の発明に係るシート状物の巻き取り用下巻き保持方法、または請求項７の発明に係るシート状物の巻き取り用下巻き保持装置によれば、完成した巻取の切断後にワインダー装置に残存したシート状物の先端部を、次の巻き取り処理のために確実に案内手段と連繋させることができるから、ワインダー装置における処理の円滑化を図ることができる。
【００２７】
また、請求項４の発明に係るシート状物の巻き取り用下巻き保持方法、または請求項８の発明に係るシート状物の巻き取り用下巻き保持装置によれば、加圧空気によって押圧されて、シート状物を案内手段に確実に連繋させた状態で、確実にコアと該案内手段とにより該シート状物を挟持させることができる。このため、コアに巻き取られるシート状物に凹凸等が生じることがなく、形状を安定させて巻取を形成することができる。
【発明を実施するための最良の形態】
【００２８】
以下、図示した好ましい実施の形態に基づいて、この発明に係るシート状物の巻き取り用下巻き保持方法及び保持装置を具体的に説明する。
【００２９】
図１〜図６には、この発明に係るシート状物の巻き取り用下巻き保持装置の第１の実施形態を示しており、図１は、この発明に係るシート状物の巻き取り用下巻き保持方法によりコアとしての紙管１に紙シートＰを巻き取って巻取Ｒを形成するための、ワインダー装置10を示している。図示しない抄紙機においてリールＬに巻き取られて形成された巻取ｒはアンワインダー11にリールＬが支持されて設置される。この巻取ｒから巻き解かれた紙シートＰは案内ロール12a、12b、12cに案内されてスリッターナイフ13を経由することにより幅方向の適宜位置にて切断される。切断された紙シートＰは複数の紙シートに分割された状態となり、スプレッダーバー14を通過して一対のワインダードラム15、16に案内される。これらワインダードラム15、16のそれぞれの外周面に接した状態で紙管１が載置される。紙シートＰは第1ワインダードラム15を下側から巻回して上側に案内されるようにしてある。
【００３０】
前記第１ワインダードラム15の上方には第１ワインダードラム15に巻回した紙シートＰの先端部と第１ワインダードラム15との間にシート反転用空気を噴射する反転用空気噴射手段としての反転用空気ノズル17が配設されている。この反転用空気ノズル17は、第１ワインダードラム15の回転軸15aに揺動可能に支持された押出アーム18に取り付けられている。なお、押出アーム18には、紙管１に巻き取られて形成された巻取Ｒをワインダー装置10から排出するための一対の押出ロール19と紙シートＰを切断するシートカッター23とが取り付けられている。
【００３１】
他方、前記第２ワインダードラム16の上方には、紙シートＰの先端部を紙管１とこの第２ワインダードラム16との間に押し込むシート押込用空気を噴射する押込用空気噴射手段としての押込用空気ノズル20が配設されている。なお、この押込用空気ノズル20は、ワインダー装置10の稼働中に不用意に巻取Ｒが飛び出したり、作業者が巻取Ｒに巻き込まれることを防止するニップガード21に取り付けられており、このニップガード21の昇降に伴われて昇降し、下降時に紙シートＰを紙管1と第２ワインダードラム16との間に押し込むのに適宜な位置に位置付くようにしてある。また、紙管１の上方には昇降可能に押圧手段としてのライダーロール22が設けられている。このライダーロール22は、ワインダードラム15、16に載置された紙管１の中心軸を通る鉛直線上にほぼ位置した軸を中心として回動可能に支持されており、下降した状態で紙管１に載置されると共に、このライダーロール22の重量により、紙管１をワインダードラム15、16に押圧するようにしてある。また、前記ニップガード21の外側には、後続する巻き取りのための紙管１がコア保持手段としての紙管ホルダー24に保持されて待機している。
【００３２】
そして、図７に示すように、端部位置調整ノズル31が設置されている。この端部位置調整ノズル31は、第１ワインダードラム15の斜め下方から該第１ワインダードラム15の側面を指向して配されており、端部調整空気をこの側面に向けて噴射するようにしてある。
【００３３】
さらに、図９および図10に示すように、紙管ホルダ24の側部に紙シート押付ノズル32が設けられている。この紙シート押付ノズル32は、図９および図10に示すように、紙管ホルダ24がワインダードラム15、16の上方に位置した状態で、第２ワインダードラム16の側に位置するようにしてあり、この状態で紙管１が紙管ホルダ24から外れてワインダードラム15、16の上部に載置されることになる。また、紙シート押付ノズル32は、下方を指向しており、第２ワインダードラム16の外周面に紙シート押付空気を噴射するようにしてある。なお、紙管１は紙管ホルダ24に開閉自在に設けられたチャック板24a、24bに保持され、該チャック板24a、24bが開放すると紙管ホルダ24から脱落するようにしてある。
【００３４】
以上により構成されたこの発明の実施形態に係るシート状物の巻き取り用下巻き保持方法及び保持装置について、以下にその作用を説明する。
【００３５】
前記スリッターナイフ13により切断されて小幅に形成された紙シートＰは、ワインダードラム15、16の下部から導入されてこれらワインダードラム15、16の上部に案内される。このとき、これらワインダードラム15、16はいずれも図１において時計回り方向に回転している。このため、紙シートＰは第１ワインダードラム15を巻回して案内される。ワインダードラム15、16には紙管１が載置されているから、図２に示すように、紙シートＰの先端部が十分に第１ワインダードラム15に巻回された状態で、ワインダードラム15、16を停止する。
【００３６】
次いで、前記反転用空気ノズル17から反転用空気を噴射させて、紙シートＰの先端部を第１ワインダードラム15から離隔させると、紙シートＰの先端部が押し起こされて、さらに反転用空気の噴流を受けて、図３に示すように、紙管１に被さる状態となる。この状態で、図４に示すように、前記ライダーロール22を下降させて紙管１に載置させると、紙シートＰは紙管１とライダーロール22とにより挟持された状態となる。この状態となったならば、前記反転用空気ノズル17からの反転用空気の噴射を停止する。そして、図５に示すように、前記押込用空気ノズル20から押込用空気を噴射させると、この押込用空気により紙シートＰの先端部が紙管１と第２ワインダードラム16との間に押し込まれる。さらに、ワインダードラム15、16を回転させながら、押込用空気の噴射を継続すると、図6に示すように、紙シートＰの先端部が折曲されながら、紙管１と第２ワインダードラム16との間に押し込まれる。図１において、第２ワインダードラム16は時計回り方向に、ワインダードラム15、16と接触している紙管１は反時計回り方向に回転するから、前記押し込まれた紙シートＰは紙管１に巻き付くことになる。紙管１に適宜に紙シートＰが巻き付いた後は、押込用空気ノズル20からの押込用空気の噴射を停止しても、紙管１に巻き取られることになり、紙管１に巻取Ｒが形成されることになる。なお、ライダーロール22は巻取Ｒの径が徐々に大きくなるのに追随して上昇することになる。
【００３７】
巻取Ｒの径が適宜な大きさとなった場合には、ワインダードラム15、16を停止して、ニップガード21を上昇させ、前記押出アーム18を揺動させると、前記押出ロール19、19が巻取Ｒをワインダードラム15、16の上部から排出することになる。なお、このとき、押出アーム18に取り付けられたシートカッター23により紙シートＰが切断される。
【００３８】
所定の大きさの径に形成された巻取Ｒがワインダードラム15、16の上部から押し出される際に、該ワインダードラム15、16の上方には切断された紙シートＰの先端部が残存する。この残存した紙シートＰの先端部は、切断されるまで押し出される巻取Ｒに追随しているため、切断後に第２ワインダードラム16側に位置する。この状態で、次の巻取Ｒを形成するために待機している紙管１がワインダードラム15、16に載置されてしまっては不都合となる。このため、第２ワインダードラム16側に位置した紙シートＰの先端部を第１ワインダードラム15に巻き付くことができる位置に移動させる必要が生じる。
【００３９】
このため、巻取Ｒがワインダードラム15、16から押し出されて排出されたならば、前記端部位置調整ノズル31から端部調整空気を噴射する。これにより、巻取Ｒが押し出される際にシートカッター23により切断されてワインダードラム15、16の上部に残存した紙シートＰの先端部が第２ワインダードラム16側から第１ワインダードラム15側に移動する。第１ワインダードラム15に移動した紙シートＰの先端部は、第１ワインダードラム15の回転に伴われて、待機している紙管１がワインダードラム15、16に載置されるのに支障とならない位置に位置付くことになる。
【００４０】
ところで、図８は紙管１がワインダードラム15、16に載置される状態を示している。待機位置にある紙管１は紙管ホルダー24に保持されており、この紙管ホルダー24が旋回して紙管１をワインダードラム15、16の上方まで移送する。このとき、紙管ホルダ24が第１ワインダードラム15に接近すると、前記端部調整空気の流れを乱してしまうおそれがある。この乱れによって、紙シートＰの先端部がバタついてしまい、図８に示すように、一部が第１ワインダードラム15の表面から浮き上がって弛みが生じてしまうおそれがある。この状態で紙管１に巻き付けると巻芯に凹凸が生じて、巻取Ｒの形状が不安定となるおそれがある。このため、紙管ホルダ24がワインダードラム15、16に接近した状態で、紙シートＰを第１ワインダードラム15に密着させるようにすることが好ましい。そのため、前記紙シート押付ノズル32から紙シート押付空気を噴射させる。
【００４１】
すなわち、紙管ホルダ24がワインダードラム15、16の上方に位置した状態で、前記紙シート押付ノズル32から紙シート押付空気を噴射させる。この紙シート押付空気は、第２ワインダードラム16に向けて噴射され、第２ワインダードラム16の外周面に衝突すると、流れの方向が変更され、紙管ホルダ24の下方を通過して第１ワインダードラム15に向かって流れることになる。この流れが第１ワインダードラム15に衝突すると再び流れの方向が変更されて、該第１ワインダードラム15の外周面に沿って上方に流れることになる。第１ワインダードラム15には紙シートＰが接触しているから、この紙シート押付空気の圧力が、該紙シートＰを加圧して第１ワインダードラム15に押しつけることになる。このため、紙シートＰが第１ワインダードラム15に密着した状態となる。その後、前記チャック板24a、24bを開放して、図10に示すように、紙管１をワインダードラム15、16に載置させれば、前記紙シート押付ノズル32からの紙シート押付空気の噴射を停止しても、紙シートＰは紙管１によって第１ワインダードラム15に押圧された状態に維持されるから、該紙シートＰが弛むことがなく、紙管１に安定して巻き取らせることができる。
【００４２】
以上説明した実施形態では、紙管１に被せられた紙シートＰを押込用空気によって紙管１と第２ワインダードラム16との間に押し込むものとして説明したが、シート状物の性質等によって、紙管１と第２ワインダードラム16との回転に伴われた紙管１に巻き込まれるシート状物であれば、前記押込用空気ノズル20を設ける構造とする必要がない。
【産業上の利用可能性】
【００４３】
この発明に係るシート状物の巻き取り用下巻き保持方法及び保持装置によれば、シート状物をコアに貼着させることがないから、コアの再使用を確実に図ることができ、コストの削減や省資源化に寄与できる。
【図面の簡単な説明】
【００４４】
【図１】この発明に係るシート状物の巻き取り用下巻き保持方法及び保持装置を説明する図で、紙の幅広の巻取を小幅の巻取に切断するワインダー装置に実施した場合を示す概略側面図である。
【図２】図１に示すワインダー装置により紙管に紙シートを巻き取る場合の動作を説明する要部の斜視図で、ワインダードラムと紙管、紙シートとの関係を示しており、紙シートが紙管に巻き取られる前の状態を示している。
【図３】図１に示すワインダー装置により紙管に紙シートを巻き取る場合の動作を説明する要部の斜視図で、ワインダードラムと紙管、紙シートとの関係を示しており、紙シートの先端部を紙管に巻き取られる位置まで移行させた状態を示している。
【図４】図１に示すワインダー装置により紙管に紙シートを巻き取る場合の動作を説明する要部の斜視図で、ワインダードラムと紙管、紙シート、ライダーロールとの関係を示しており、紙シートが紙管とライダーロールとで挟持された状態を示している。
【図５】図１に示すワインダー装置により紙管に紙シートを巻き取る場合の動作を説明する要部の斜視図で、ワインダードラムと紙管、紙シート、ライダーロールとの関係を示しており、紙シートを紙管と第２ワインダードラムに押し込む状態を示している。
【図６】図１に示すワインダー装置により紙管に紙シートを巻き取る場合の動作を説明する要部の斜視図で、ワインダードラムと紙管、紙シート、ライダーロールとの関係を示しており、ワインダードラムを回転させて、紙管と第２ワインダードラムに押し込まれた紙シートが巻き込まれる状態を示している。
【図７】この発明の第２実施形態に係るシート状物の巻き取り用下巻き保持方法及び保持装置を説明する図で、ワインダードラムに対してシート状物を移行させた状態を示している。
【図８】図７に示す第２実施形態における紙管をワインダードラムに載置させる直前の状態を示す図である。
【図９】この発明の第３実施形態に係るシート状物の巻き取り用下巻き保持方法及び保持装置を説明する図で、紙管をワインダードラムに載置させる直前の状態を示している。
【図１０】図９に示す第３実施形態において、紙管がワインダードラムに載置された状態を示している。
【図１１】従来のシート状物の巻き取り用下巻き保持方法及び保持装置を説明する図で、紙管に紙シートを巻き取る構造を示す図４に相当する斜視図である。
【図１２】従来のシート状物の巻き取り用下巻き保持方法及び保持装置を説明する図で、紙管に紙シートを巻き取る構造を示す図６に相当する斜視図である。
【符号の説明】
【００４５】
10  ワインダー装置
11  アンワインダー
12  案内ロール
13  スリッターナイフ
14  スプレッダーバー
15  第１ワインダードラム
16  第２ワインダードラム
17  反転用空気ノズル(反転用空気噴射手段）
18  押出アーム
19  押出ロール
20  押込用空気ノズル（押込用空気噴射手段）
21  ニップガード
22  ライダーロール
23  シートカッター
24  紙管ホルダー（コア保持手段）
31  端部位置調整ノズル
32  紙シート押付ノズル
Ｐ  紙シート
１  紙管
Ｒ  巻取
ｒ  巻取
【図１】
2008222360.tif 000003
【図２】
2008222360.tif 000004
【図３】
2008222360.tif 000005
【図４】
2008222360.tif 000006
【図５】
2008222360.tif 000007
【図６】
2008222360.tif 000008
【図７】
2008222360.tif 000009
【図８】
2008222360.tif 000010
【図９】
2008222360.tif 000011
【図１０】
2008222360.tif 000012
【図１１】
2008222360.tif 000013
【図１２】
2008222360.tif 000014